(57)【要約】      （修正有）【課題】デザインの多様性を確保しつつ、容易に髪の結束を行うことができる髪留め結束バンドを提供する。【解決手段】可撓性を有する材料で形成された髪留め結束バンド１０は、細長形状のバンド２０と、バンド２０の長手方向の一方の端部に取り付けられ、表裏側を貫通する第１貫通孔２５を有する第１係合部２４と、バンド２０の長手方向の他方の端部に取り付けられ、表裏側を貫通する第２貫通孔２８を有する第２係合部２７と、第１係合部２４のバンド２０とは反対側に設けられ、変形させることで第２貫通孔２８を通過可能であり、無負荷時には第２貫通孔２８を通過不可能に形成された第１装飾部３０と、第２係合部２７のバンド２０とは反対側に設けられ、変形させることで第１貫通孔２５を通過可能であり、無負荷時には第１貫通孔２５を通過不可能に形成された第２装飾部４０とを備える。【選択図】図１
0003234558.tif 000002
【実用新案登録請求の範囲】
【請求項１】
髪留め結束バンドにおいて、
可撓性を有する材料で形成された細長形状のバンドと、
このバンドの長手方向の一方の端部に取り付けられ、表裏側を貫通する第１貫通孔を有する第１係合部と、
前記バンドの長手方向の他方の端部に取り付けられ、表裏側を貫通する第２貫通孔を有する第２係合部と、
前記第１係合部の前記バンドとは反対側に設けられ、変形させることで前記第２貫通孔を通過可能に形成されると共に、無負荷時には前記第２貫通孔を通過不可能に形成された第１装飾部と、
前記第２係合部の前記バンドとは反対側に設けられ、変形させることで前記第１貫通孔を通過可能に形成されると共に、無負荷時には前記第１貫通孔を通過不可能に形成された第２装飾部とを備えていることを特徴とする髪留め結束バンド。
【請求項２】
前記バンドは、複数の棒材が平行に配置されて形成され、その外周部が、前記第１貫通孔及び前記第２貫通孔の内縁部に係合することを特徴とする請求項１に記載の髪留め結束バンド。
【請求項３】
前記バンドには、前記第１貫通孔に連通し、前記第２係合部側に向けて延設された第１スリットと、
前記第２貫通孔に連通し、前記第１係合部側に向けて延設された第２スリットが設けられていることを特徴とする請求項１に記載の髪留め結束バンド。
【請求項４】
前記バンドは、前記第１スリット及び前記第２スリットの周囲において補強されていることを特徴とする請求項３に記載された髪留め結束バンド。
【請求項５】
前記第１貫通孔及び前記第２貫通孔は、前記バンドの表裏方向の中央部分の内径が開口部の内径よりも小に形成されていることを特徴とする請求項１に記載の髪留め結束バンド。
【請求項６】
前記第１装飾部及び前記第２装飾部のいずれか一方の表面には凹凸が形成されていることを特徴とする請求項１に記載の髪留め結束バンド。
【請求項７】
前記バンドと前記第１装飾部及び前記第２装飾部とは、異なる材料で形成されていることを特徴とする請求項１に記載の髪留め結束バンド。
【請求項８】
前記第１係合部と前記第１装飾部、又は、前記第２係合部と前記第２装飾部との間には、前記バンドを延長した位置に延長部材が設けられていることを特徴とする請求項１に記載の髪留め結束バンド。
【考案の詳細な説明】
【技術分野】
【０００１】
本考案は、髪を束ねたり結わえたりするための髪留め結束バンドに関するものである。
【背景技術】
【０００２】
長めの髪を束ねたり、髪を結わえたりするヘアアレンジを行う際、環状のヘアゴム等の髪留め結束バンドが用いられることがある。近年では、容易に結束を行うために工夫された構造を有するものもある（例えば、特許文献１，２参照。）。
【先行技術文献】
【特許文献】
【０００３】
【特許文献１】特開２０２０−１３０９９３号公報
【特許文献２】実用新案登録第３２２５７５３号公報
【考案の概要】
【考案が解決しようとする課題】
【０００４】
上述したように髪留め結束バンドにあっては、次のような問題があった。すなわち、髪留め結束バンドは、髪留めをするには便利であるが、デザインが限られてしまい、自分の好みの装飾とすることが難しかった。
【０００５】
本考案は、このような課題に鑑みてなされたものであり、その目的とするところは、デザインの多様性を確保しつつ、容易に髪の結束を行うことができる髪留め結束バンドを提供することにある。
【課題を解決するための手段】
【０００６】
本考案は、髪留め結束バンドにおいて、可撓性を有する材料で形成された細長形状のバンドと、このバンドの長手方向の一方の端部に取り付けられ、前記バンドの表裏側を貫通する第１貫通孔を有する第１係合部と、前記バンドの長手方向の他方の端部に取り付けられ、前記バンドの表裏側を貫通する第２貫通孔を有する第２係合部と、前記第１係合部の前記バンドとは反対側に設けられ、変形させることで前記第２貫通孔を通過可能に形成されると共に、無負荷時には前記第２貫通孔を通過不可能に形成された第１装飾部と、前記第２係合部の前記バンドとは反対側に設けられ、変形させることで前記第１貫通孔を通過可能に形成されると共に、無負荷時には前記第１貫通孔を通過不可能に形成された第２装飾部とを備えている。
【考案の効果】
【０００７】
本考案の髪留め結束バンドによれば、デザインの多様性を確保しつつ、容易に髪の結束を行うことができる。
【図面の簡単な説明】
【０００８】
【図１】本考案の第１の実施形態である髪留め結束バンドを示す平面図である。
【図２】同髪留め結束バンドを示す側面図である。
【図３】同髪留め結束バンドの二点鎖線Ｐ部を拡大して示す斜視図である。
【図４】同髪留め結束バンドの二点鎖線Ｑ部を拡大して示す斜視図である。
【図５】同髪留め結束バンドの使用方法を示す説明図である。
【図６】同髪留め結束バンドの使用状態を示す説明図である。
【図７】本考案の第２の実施形態である髪留め結束バンドを示す平面図である。
【図８】本考案の第３の実施形態である髪留め結束バンドを示す平面図である。
【図９】本考案の第４の実施形態である髪留め結束バンドを示す平面図である。
【図１０】本考案の第５の実施形態である髪留め結束バンドを示す平面図である。
【図１１】本考案の第６の実施形態である髪留め結束バンドを示す平面図である。
【図１２】本考案の第７の実施形態である髪留め結束バンドを示す平面図である。
【図１３】本考案の第８の実施形態である髪留め結束バンドを示す平面図である。
【考案を実施するための形態】
【０００９】
以下、図面を参照しつつ本考案の実施形態について説明する。  
図１は本考案の第１の実施形態である髪留め結束バンド１０を示す平面図、図２は髪留め結束バンド１０を示す側面図、図３は髪留め結束バンド１０の二点鎖線Ｐ部を拡大して示す斜視図、図４は髪留め結束バンド１０の二点鎖線Ｑ部を拡大して示す斜視図、図５は髪留め結束バンド１０の使用方法を示す説明図、図６は髪留め結束バンド１０の使用状態を示す説明図である。
【００１０】
図１及び図２に示す髪留め結束バンド１０は、シリコン材等の可撓性を有する材料で全体が形成されている。髪留め結束バンド１０は、細長形状のバンド２０を備えている。バンド２０は、断面が円の棒材２１，２２，２３が一体的に形成されて構成されている。
【００１１】
バンド２０の長手方向の一方の端部には長円柱状の第１係合部２４が一体的に設けられている。第１係合部２４は表裏側を貫通する第１貫通孔２５が設けられている。第１貫通孔２５は、図３に示すように小孔２５ａ，２５ｂ，２５ｃから構成されており、各小孔２５ａ，２５ｂ，２５ｃは、表裏方向の中央部分の内径が開口部の内径よりも小に形成されている。さらに、各小孔２５ａ〜２５ｃの内縁部は、棒材２１〜２３の外周部が係合する寸法に形成されている。
【００１２】
バンド２０には、小孔２５ｂに連通し、後述する第２係合部２７側に向けて延設された第１スリット２６が設けられている。第１スリット２６の端部は円孔が形成されており、第１スリット２６が割けて拡がらない形状となっている。なお、第１貫通孔２５及び第１スリット２６は、後述する第２装飾部４０を横向きにして通過させることができる寸法に形成されている。
【００１３】
バンド２０の長手方向の他方の端部には長円柱状の第２係合部２７が一体的に設けられている。第２係合部２７は表裏側を貫通する第２貫通孔２８が設けられている。第２貫通孔２８は、図４に示すように小孔２８ａ，２８ｂ，２８ｃから構成されており、各小孔２８ａ，２８ｂ，２８ｃは、表裏方向の中央部分の内径が開口部の内径よりも小に形成されている。さらに、各小孔２８ａ〜２８ｃの内縁部は、棒材２１〜２３の外周部が係合する寸法に形成されている。
【００１４】
バンド２０には、小孔２８ｂに連通し、第１係合部２４側に向けて延設された第２スリット２９が設けられている。第２スリット２９の端部は円孔が形成されており、第２スリット２９が割けて拡がらない形状となっている。なお、第２貫通孔２８及び第２スリット２９は、後述する第１装飾部３０を横向きにして通過させることができる寸法に形成されている。
【００１５】
図３に示すように、第１係合部２４のバンド２０とは反対側の位置には、リボン形状の第１装飾部３０が設けられている。第１装飾部３０は、横向きにして第２貫通孔２８及び第２スリット２９を通過可能に形成されると共に、横向き以外の向きでは第２貫通孔２８及び第２スリット２９を通過不可能の寸法・形状に形成されている。なお、図３中３１は第１装飾部３０の先端部を示している。先端部３１には、例えば星印等のマークをエンボス加工等により設けてもよい。
【００１６】
図４に示すように、第２係合部２７のバンド２０とは反対側の位置には、リボン形状の第２装飾部４０が設けられている。第２装飾部４０は、横向きにして第１貫通孔２５及び第１スリット２６を通過可能に形成されると共に、横向き以外の向きでは第１貫通孔２５及び第１スリット２６を通過不可能の寸法・形状に形成されている。なお、図４中４１は第２装飾部４０の先端部を示している。先端部４１には、マークを付けないことで、指先の触感で先端部３１と区別することができる。
【００１７】
このように構成された髪留め結束バンド１０は、図５の（ａ）〜（ｆ）に示すようにして使用する。すなわち、図５の（ａ）に示すように、バンド２０を湾曲させて内側に髪（不図示）に巻きつけながら、第１装飾部３０の先端部３１を第２貫通孔２８に近づける。そして、第１装飾部３０を横向きにして、図５の（ｂ）に示すように、第２貫通孔２８及び第２スリット２９を通す。この時、第２スリット２９が開いて第１装飾部３０を通し易くなる。そして、図５の（ｃ）に示すように、第１装飾部３０を引っ張ってバンド２０も第２貫通孔２８に通す。
【００１８】
続いて、図５の（ｄ）に示すように、第１装飾部３０をバンド２０の下側を通るように回す。図５の（ｅ）に示すように、第２装飾部４０の先端部４１を第１貫通孔２５に近づけ、第２装飾部４０を横向きにして、第１貫通孔２５及び第１スリット２６を通す。この時、第１スリット２６が開いて第２装飾部４０を通し易くなる。そして、第２装飾部４０を第１貫通孔２５に通過させると、図５の（ｆ）に示すように、リボン型の装飾品となる。
【００１９】
そして、最終的に図６に示すような状態で髪に留められる。なお、図６中Ｈは髪留め結束バンド１０を使用する人の頭部、Ｂは毛束、Ｇは毛束の中部、ＲＨは使用者の右手、ＬＨは使用者の左手を示している。
【００２０】
このように、髪留め結束バンド１０は、バンド２０の両端に設けられた第１係合部２４に第２装飾部４０を係合させ、第２係合部２７に第１装飾部３０を係合させることで、リボン状に結び、固定することができるので、容易に髪の結束を行うことができる。また、第１装飾部３０及び第２装飾部４０は可撓性を有する材料で形成されているため、デザインの多様性を確保することができる。なお、棒材２１，２２，２３は一体的に構成されていることで、棒材２１，２２，２３を第１貫通孔２５や第２貫通孔２８に通した際に、バンド２０の捩れを防止できると共に、第１貫通孔２５や第２貫通孔２８との接触面積を増やすことができ、摩擦を増えて外れにくくなるという効果が得られる。
【００２１】
図７は本考案の第２の実施形態である髪留め結束バンド１０Ａを示す平面図である。なお、図７において図１と同一機能部分には同一符号を付し、その詳細な説明は省略する。
【００２２】
図７に示す髪留め結束バンド１０Ａは、シリコン材等の可撓性を有する材料で全体が形成されている。髪留め結束バンド１０Ａは、細長形状のバンド６０を備えている。バンド６０は、バンド本体６１を有している。バンド６０の中間部には、ある程度のスペース５０が有り、装飾の他、文字（広告等）を印刷することができる。また、バンド６０には、第１スリット２６及び第２スリット２９の周囲に配置された、肉厚部５１及び肉厚部５２が形成されている。肉厚部５１及び肉厚部５２は、第１スリット２６及び第２スリット２９が力を受けて拡がり過ぎて割けることを防ぐ機能を有している。
【００２３】
このように構成された髪留め結束バンド１０Ａは、上述した図１に示す髪留め結束バンド１０と同様にして毛束Ｂに巻き付けることができる。このように、髪留め結束バンド１０Ａは、バンド６０の両端に設けられた第１係合部２４に第２装飾部４０を係合させ、第２係合部２７に第１装飾部３０を係合させることで、リボン状に結び、固定することができるので、容易に髪の結束を行うことができる。また、第１装飾部３０及び第２装飾部４０は可撓性を有する材料で形成されているため、デザインの多様性を確保することができる。さらに、バンド６０に装飾や文字を入れると共に、肉厚部５１及び肉厚部５２によって、第１スリット２６及び第２スリット２９が力を受けて拡がり過ぎて割けることを防ぐことができる。
【００２４】
図８は本考案の第３の実施形態である髪留め結束バンド１０Ｂを示す平面図である。図８において、図１と同一機能部分には同一符号を付し、その詳細な説明は省略する。
【００２５】
図８に示すように、第１装飾部７０には開口部７２、第２装飾部８０には開口部８２が設けられている。本実施形態に係る髪留め結束バンド１０Ｂでは、上述した髪留め結束バンド１０と同様の効果が得られると共に、開口部７２及び開口部８２が設けられており、多様なデザインを楽しむことができる。なお、開口部７２と開口部８２との形状を異ならせることで、使用者が指先で容易に区別できるようにしてもよい。
【００２６】
図９は本考案の第４の実施形態である髪留め結束バンド１０Ｃを示す平面図である。図８において、図１と同一機能部分には同一符号を付し、その詳細な説明は省略する。
【００２７】
本実施形態に示す髪留め結束バンド１０Ｃは、上述した髪留め結束バンド１０の第１装飾部７０及び第２装飾部８０の代わりに、リボン状ではなく円板状の第１装飾部９０及び第２装飾部１００を用いている。なお、図９中９１，１０１は第１装飾部９０及び第２装飾部１００の先端部を示している。本実施形態に係る髪留め結束バンド１０Ｃでは、上述した髪留め結束バンド１０と同様の効果が得られると共に、装飾部のバリエーションを増やすことができる。
【００２８】
図１０は本考案の第５の実施形態である髪留め結束バンド１０Ｄを示す平面図である。図１０において、図１と同一機能部分には同一符号を付し、その詳細な説明は省略する。
【００２９】
本実施形態に示す髪留め結束バンド１０Ｄは、上述した髪留め結束バンド１０の第１装飾部７０及び第２装飾部８０の代わりに、円板状の第１装飾部１１０及び第２装飾部１２０を用いている。なお、第１装飾部１１０及び第２装飾部１２０は、バンド６０の長手方向に対し、直交する向きに配置している。本実施形態に係る髪留め結束バンド１０Ｄでは、上述した髪留め結束バンド１０と同様の効果が得られると共に、装飾部のバリエーションを増やすことができる。
【００３０】
図１１は本考案の第６の実施形態である髪留め結束バンド１３０を示す平面図である。髪留め結束バンド１３０は、シリコン材等の可撓性を有する材料で形成された細長形状のバンド１４０を備えている。バンド１４０は、断面が円の棒材１４１，１４２，１４３が一体的に形成されて構成されている。
【００３１】
バンド１４０の長手方向の一方の端部には長円柱状の第１係合部１４４が一体的に設けられている。第１係合部１４４は表裏側を貫通する第１貫通孔１４５が設けられている。第１貫通孔１４５は、前述した髪留め結束バンド１０と同様に、小孔１４５ａ，１４５ｂ，１４５ｃ（図示しない）から構成されており、各小孔１４５ａ，１４５ｂ，１４５ｃは、表裏方向の中央部分の内径が開口部の内径よりも小に形成されている。さらに、各小孔１４５ａ〜１４５ｃの内縁部は、棒材１４１〜１４３の外周部が係合する寸法に形成されている。
【００３２】
バンド１４０には、小孔１４５ｂに連通し、後述する第２係合部１４７側に向けて延設された第１スリット１４６が設けられている。第１スリット１４６の端部は円孔が形成されており、第１スリット１４６が割けて拡がらない形状となっている。なお、第１貫通孔１４５及び第１スリット１４６は、後述する第２装飾部１６０を横向きにして通過させることができる寸法に形成されている。
【００３３】
バンド１４０の長手方向の他方の端部には長円柱状の第２係合部１４７が一体的に設けられている。第２係合部１４７は表裏側を貫通する第２貫通孔１４８が設けられている。第２貫通孔１４８は、前述した髪留め結束バンド１０と同様に、小孔１４８ａ，１４８ｂ，１４８ｃ（図示しない）から構成されており、各小孔１４８ａ，１４８ｂ，１４８ｃは、表裏方向の中央部分の内径が開口部の内径よりも小に形成されている。さらに、各小孔１４８ａ〜１４８ｃの内縁部は、棒材１４１〜１４３の外周部が係合する寸法に形成されている。
【００３４】
バンド１４０には、小孔１４８ｂに連通し、第１係合部１４４側に向けて延設された第２スリット１４９が設けられている。第２スリット１４９の端部は円孔が形成されており、第２スリット１４９が割けて拡がらない形状となっている。なお、第２貫通孔１４８及び第２スリット１４９は、後述する第１装飾部１５０を横向きにして通過させることができる寸法に形成されている。
【００３５】
図１１に示すように、第１係合部１４４のバンド１４０とは反対側の位置には、留付部１４０ａを介してリボン形状の第１装飾部１５０が設けられている。第１装飾部１５０は、横向きにして第２貫通孔１４８及び第２スリット１４９を通過可能に形成されると共に、横向き以外の向きでは第２貫通孔１４８及び第２スリット１４９を通過不可能の寸法・形状に形成されている。なお、図１１中１５１は第１装飾部１５０の先端部を示している。第１装飾部１５０は、バンド１４０の材料であるシリコン材とは異なる材料（例えば、プラスチック材）で形成されている。
【００３６】
図１１に示すように、第２係合部１４７のバンド１４０とは反対側の位置には、留付部１４０ｂを介してリボン形状の第２装飾部１６０が設けられている。第２装飾部１６０は、横向きにして第１貫通孔１４５及び第１スリット１４６を通過可能に形成されると共に、横向き以外の向きでは第１貫通孔１４５及び第１スリット１４６を通過不可能の寸法・形状に形成されている。なお、図１１中１６１は第２装飾部１６０の先端部を示している。第２装飾部１６０は、バンド１４０の材料であるシリコン材とは異なる材料（例えば、プラスチック材）で形成されている。
【００３７】
このように構成された髪留め結束バンド１３０は、前述した図５に示すようにして使用する。このように、髪留め結束バンド１３０は、バンド１４０の両端に設けられた第１係合部１４４に第２装飾部１６０を係合させ、第２係合部２７に第１装飾部３０を係合させることで、リボン状に結び、固定することができるので、容易に髪の結束を行うことができる。また、第１装飾部３０及び第２装飾部４０は、バンド１４０の材質と異なる材質の材料で形成することができ、デザインの多様性を確保することができる。
【００３８】
図１２は本考案の第７の実施形態である髪留め結束バンド１３０Ａを示す平面図である。なお、図１２において図１１と同一機能部分には同一符号を付し、その詳細な説明は省略する。
【００３９】
第１係合部１４４のバンド１４０とは反対側の位置には、留付部１４０ｃを介して円板状の第１装飾部１７０が設けられている。第１装飾部１７０は、横向きにして第２貫通孔１４８及び第２スリット１４９を通過可能に形成されると共に、横向き以外の向きでは第２貫通孔１４８及び第２スリット１４９を通過不可能の寸法・形状に形成されている。第１装飾部１７０は、バンド１４０の材料であるシリコン材とは異なる材料（例えば、プラスチック材）で形成されている。
【００４０】
第２係合部１４７のバンド１４０とは反対側の位置には、留付部１４０ｄを介して円板状の第２装飾部１８０が設けられている。第２装飾部１８０は、横向きにして第１貫通孔１４５及び第１スリット１４６を通過可能に形成されると共に、横向き以外の向きでは第１貫通孔１４５及び第１スリット１４６を通過不可能の寸法・形状に形成されている。第２装飾部１８０は、バンド１４０の材料であるシリコン材とは異なる材料（例えば、プラスチック材）で形成されている。
【００４１】
本実施形態に係る髪留め結束バンド１３０Ａでは、上述した髪留め結束バンド１３０と同様の効果が得られると共に、装飾部のバリエーションを増やすことができる。
【００４２】
図１３は本考案の第８の実施形態である髪留め結束バンド２００を示す平面図である。なお、図１３において図１と同一機能部分には同一符号を付し、その詳細な説明は省略する。図１３に示す髪留め結束バンド２００は、シリコン材等の可撓性を有する材料で全体が形成されている。髪留め結束バンド２００は、細長形状のバンド２０Ａを備えている。バンド２０Ａは、断面が円の棒材２１，２２，２３が一体的に形成されて構成されている。
【００４３】
バンド２０の第２係合部２７と第２装飾部４０との間に棒材２１，２２，２３を延長した位置に延長棒材（延長部材）２１ａ〜２３ａが設けられている。
【００４４】
このように構成されていると、上述した結束バンド１０と同様の効果が得られると共に、リボン状に結んだ際に、第２係合部２７と第２装飾部４０が僅かに離間するため、第２装飾部４０の形状が浮き上がり、より綺麗な形状を取ることができる。
【００４５】
上述した例では、可撓性のある材料としてシリコン材を例示したが、これらに限られるものではなく、樹脂材・ゴム材等を用いることができる。また、装飾部の形状・大きさ・色彩、バンドの長さ・幅等については髪の長さや好みに応じて任意に変更可能である。
【００４６】
以上、本考案の実施形態について説明したが、本考案はこれに限定されることなくその趣旨を逸脱しない範囲で種々の改良・変更が可能であることは勿論である。例えば、上述した滑り止め部は間欠的に施工したが、全面に施工するようにしてもよい。
【産業上の利用可能性】
【００４７】
本考案は、デザインの多様性を確保しつつ、容易に髪の結束を行うことができる髪留め結束バンドとして有効である。
【符号の説明】
【００４８】
１０，１０Ａ，１０Ｂ，１０Ｃ，１０Ｄ，２００…髪留め結束バンド、２０，２０Ａ…バンド、２１〜２３…棒材、２１ａ〜２３ａ，２１ｂ〜２３ｂ…延長棒材、２４…第１係合部、２５…第１貫通孔、２５ａ〜２５ｃ…小孔、２６…第１スリット、２７…第２係合部、２８…第２貫通孔、２８ａ〜２８ｃ…小孔、２９…第２スリット、３０…第１装飾部、３１…先端部、４０…第２装飾部、４１…先端部、５０…スペース、５１…肉厚部、５２…肉厚部、６０…バンド、６１…バンド本体、７０…第１装飾部、７２…開口部、８０…第２装飾部、８２…開口部、９０…第１装飾部、１００…第２装飾部、１１０…第１装飾部、１２０…第２装飾部、１３０…髪留め結束バンド、１３０Ａ…髪留め結束バンド、１４０…バンド、１４０ａ…留付部、１４０ｂ…留付部、１４０ｃ…留付部、１４０ｄ…留付部、１４１〜１４３…棒材、１４４…第１係合部、１４５…第１貫通孔、１４６…第１スリット、１４７…第２係合部、１４８…第２貫通孔、１４９…第２スリット、１５０…第１装飾部、１６０…第２装飾部、１７０…第１装飾部、１８０…第２装飾部。
【図１】
0003234558.tif 000003
【図２】
0003234558.tif 000004
【図３】
0003234558.tif 000005
【図４】
0003234558.tif 000006
【図５】
0003234558.tif 000007
【図６】
0003234558.tif 000008
【図７】
0003234558.tif 000009
【図８】
0003234558.tif 000010
【図９】
0003234558.tif 000011
【図１０】
0003234558.tif 000012
【図１１】
0003234558.tif 000013
【図１２】
0003234558.tif 000014
【図１３】
0003234558.tif 000015